(57)【要約】【課題】ワイヤレスマウスにおいて、電源スイッチの切り忘れを無くすようにすることを課題とする。【解決手段】ワイヤレスマウスは、ケース１００と受信装置２００とを有する。ワイヤレスマウスは、ケースに設置されトリガー部１０１Ａを有する電源スイッチ１０１と、受信装置を支持するようにケースに移動可能に設置してあり、且つケースの一表面から突出する凸状のボタン１０２Ａを有する載置台１０２と、載置台を第一位置或いは第二位置に固定する挟み部材１０３Ａを有し、載置台と連結された状態でケース１００に設置してある押し装置１０３とを有する。載置台が第一位置に位置すると、載置台が電源スイッチのトリガー部と接触し、電源スイッチはオフとなる。【選択図】図１
2008016002.tif 000002
【特許請求の範囲】
【請求項１】
ケースと受信装置を含むワイヤレスマウスにおいて、
前記ケースに設置してあり、トリガー部を有する電源スイッチと、
前記受信装置を支持するように前記ケースに移動可能に設けてあり、前記ケースの表面に突き出る凸状のボタンを有する載置台と、
前記ケースに設置してあり、前記載置台を第一位置或いは第二位置に固定する挟み部材を備えた押し装置とを有し、
前記載置台が第一位置に位置すると、前記載置台が前記電源スイッチのトリガー部と接触する構成としたことを特徴とするワイヤレスマウス。
【請求項２】
前記押し装置の挟み部材は、凹溝を有する構成としたことを特徴とする請求項１に記載するワイヤレスマウス。
【請求項３】
前記載置台は、連接板部を有し、該連接板部が前記挟み部材の前記凹溝に嵌合している構成としたことを特徴とする請求項２に記載するワイヤレスマウス。
【請求項４】
前記載置台は、前記連接板部を一体に有する成形部品であることを特徴とする請求項３に記載するワイヤレスマウス。
【請求項５】
前記ケースは、長方形の溝を有し、
前記載置台の前記ボタンが前記長方形の溝に移動可能に嵌合してあることを特徴とする請求項１に記載するワイヤレスマウス。
【発明の詳細な説明】
【技術分野】
【０００１】
本発明はワイヤレスマウスに係り、特に受信装置からワイヤレスマウス内部に挿入し或いは手動方法によりマウス電源のスイッチを制御するワイヤレスマウスに関する。
【背景技術】
【０００２】
ワイヤレスマウスはケーブル不要という利点でユーザーに好まれている。ワイヤレスマウスはケーブル不要でパソコンと信号接続可能だが、これによりケーブルによって直接パソコン接続部からの電源を得ることが不可能となるので、ワイヤレスマウスは電池を据付けることで操作可能となる。このため、ワイヤレスマウスの電気使用量節減が重要課題となる。
【０００３】
ワイヤレスマウスはその本体並びにパソコン接続部に繋がる受信装置から成り立つ。従来のワイヤレスマウスは節電のため、通常ワイヤレスマウスを使用しない際には電源はオフになる。
【０００４】
従来の一種のワイヤレスマウスでは、マウス表面に電源スイッチを制御する凸状のボタンが据付けられ、ユーザーがマウスを使用する際は、マウスの電源スイッチ起動のために凸状のボタンをオンの位置に操作する。マウスを使用しない時は、凸状のボタンはオフの位置に操作して電源を落とす。然しながら、ユーザーは使用しないとき、凸状のボタンの電源スイッチオフ操作を常々忘れるので、別の設計が考案された。
【０００５】
従来の他種のよく散見するマウス電源スイッチ制御方式は、ワイヤレスマウスの受信装置を使用するものである。ユーザーが受信装置をマウス本体に収納すると、ユーザーがマウス使用の必要なしと表示され、このとき受信装置がマウス内部の電源スイッチに接触し、マウスの電源をオフにする。受信装置が取り出されると、ユーザーがマウス使用中である旨が表示され、このときマウスの電源スイッチが解き放たれることでマウスの電源がオンになる。
【０００６】
然しながら、前記装置は受信装置を作動させることでマウスの電源スイッチがオフになるので、ユーザーがしばらく席を離れ、ワイヤレスマウスが移動しない状況下では、ユーザーは受信装置をパソコンの接続部より取り出した上でマウス内部に挿し込んで電源をオフにしなければならず、操作上不便である。
【発明の開示】
【発明が解決しようとする課題】
【０００７】
本発明の主たる目的はユーザーが受信装置の操作によって或いはボタンの操作によってワイヤレスマウスの電源スイッチを制御可能とするワイヤレスマウスを提供することである。
【課題を解決するための手段】
【０００８】
本発明はケースと受信装置を含むワイヤレスマウスを提供し、前記ワイヤレスマウスに前記ケースに設置され、トリガー部を有する電源スイッチと、受信装置を支持するように前記ケースに移動に設置し、且つ凸状のボタンを有し前記ケースの一表面から突出する載置台と、前記ケースに設置し、且つ前記載置台を第一位置或いは第二位置に固定するように挟み部材を有し前記載置台と接する押し装置を含み、前記載置台が第一位置に位置すると、前記載置台が前記電源スイッチのトリガー部と接触することを特徴とする。
【０００９】
好ましい実施例において、前記押し装置の挟み部材にさらに凹溝を含むことを特徴とする。また、好ましい実施例において、前記載置台にさらに連接板が前記挟み部材の前記凹溝に嵌合している構成としたことを特徴とする。また、好ましい実施例において、前記載置台が一体形成により完成することを特徴とする。また、好ましい実施例において、前記ケースにさらに長方形の溝を含み、且つ前記凸状のボタンが前記長方形の溝内を移動することを特徴とする。
【発明を実施するための最良の形態】
【００１０】
以下、本発明の最良の形態について説明する。
【実施例】
【００１１】
図１は本件発明に係る好ましい実施例のワイヤレスマウス１０を、その上蓋を取り外して内部が見える状態で、概略的に示す図である。Ｘ１−Ｘ２はワイヤレスマウス１０の幅方向である。ワイヤレスマウス１０は、ケース１００と受信装置２００とを有する。ワイヤレスマウス１０は、この他に、トリガー部１０１Ａを備える電源スイッチ１０１と、載置台１０２と、押し装置１０３とを有する。
【００１２】
図１には、載置台１０２及び押し装置１０３を拡大して示す。
【００１３】
載置台１０２は、略箱形状の天板及び一つの側板が開放された形状であり、底板より下方に突き出た凸状のボタン１０２Ａ及び側板より張り出ている連接板部１０２Ｂを有する。即ち、載置台１０２は、凸状のボタン１０２Ａ及び連接板部１０２Ｂを一体に有する成形部品である。凸状のボタン１０２Ａは、ケース１００の裏面に現れており、ユーザーは凸状のボタン１０２Ａを操作出来る（図３参照）。
【００１４】
図１に拡大して示すように、押し装置１０３は、所謂プッシュ―プッシュ装置であり、箱形状の本体１０３Ｃに、挟み部材１０３Ａが突き出て取り付けてあり、本体１０３Ｃの内部にハート型カムを利用したロック機構及びバネ部材（共に図示せず）が設けてある。挟み部材１０３Ａをバネ部材に抗して矢印Ｘ２方向に押し込むと、挟み部材１０３Ａは押し込まれた位置（第１の位置）に移動されてロックされ、ロックされた状態の挟み部材１０３Ａを再度矢印Ｘ２方向に少し押し込むと、ロックが解除されて、バネ部材のばね力によって挟み部材１０３Ａが矢印Ｘ２とは反対の方向（Ｘ１方向）に移動されて本体１０３Ｃより突き出た元の位置（第２の位置）に復帰する。挟み部材１０３Ａは凹溝１０３Ｂを有する。
【００１５】
載置台１０２には受信装置２００が備えてある。押し装置１０３の本体１０３Ｃが、ワイヤレスマウス１０の上蓋（図示せず）の下面に固定してある。ワイヤレスマウス１０内部の部品を示すため、図中にワイヤレスマウスの上蓋は図示していない。載置台１０２の連接板１０２Ｂが押し部材１０３の凹溝１０３Ａ内に嵌合してあり、載置台１０２によって押し部材１０３に力を加えることが出来る。
【００１６】
次に、図１及び図２を参照して、本件発明で受信装置２００を使用して電源スイッチ１０１を制御する方法を説明する。
【００１７】
ユーザーがワイヤレスマウス１０を使用している状態では、図２に示すように、受信装置２００をケース１００のＸ１側の側壁１００Ａの穴１００Ｂよりケース１００の外側に突き出ている。載置台２００は、ケース１００の内部のうち側壁１００Ａ寄りの位置（第二位置）に位置している。受信装置２００のうちケース１００の内部の部分は、載置台２００上に載っている。押し装置１０３は、挟み部材１０３Ａが本体１０３Ｃから突き出た、図１に拡大して示す状態にある。
【００１８】
ユーザーがワイヤレスマウス１０の使用を終了すると、ユーザーは手の指先で受信装置２００をケース１００内に押し込む。
【００１９】
この操作によって、載置台１０２が受信装置２００と共に矢印Ｘ２方向に移動され、載置台１０２の側板が電源スイッチ１０１のトリガー部１０１Ａに接触して押し、電源スイッチ１０１はオフとなる。
【００２０】
また、載置台１０２の移動と共に、押し装置１０３の挟み部１０３ＡがＸ２方向に移動されて挟み部１０３Ａは第１の位置にロックされる。押し装置１０３の挟み部１０３Ａがロックされることによって、載置台１０２は移動した第一位置に固定される。受信装置２００はその略全部がケース１００内に格納された状態に維持される。
【００２１】
よって、ワイヤレスマウス１０が使用されていない状態における電池の無駄な使用が起きない。
【００２２】
ユーザーがワイヤレスマウス１０の使用を再開するときには、ユーザーは手の指先で受信装置２００のうちケース１００の側壁１００Ａより少し突き出ている部分をケース１００の内部に押し込むように押す。この操作によって、載置台１０２を介して挟み部１０３ＡがＸ２方向に移動され、押し装置１０３のロックが解除されて、バネ部材のばね力によって挟み部材１０３Ａが矢印Ｘ２とは反対の方向（Ｘ１方向）に移動されて第２の位置に復帰する。挟み部材１０３Ａが移動することによって、これと連結してある載置台１０２が矢印Ｘ１方向に図２に示す第二位置まで移動され、更には、載置台１０２上に載っている受信装置２００が矢印Ｂ方向に移動されて図２に示すようにケース１００の側壁１００Ａの穴１００Ｂよりケース１００の外側に突き出た状態となり、良好に受信可能な状態となる。
【００２３】
また、載置台１０２が図２に示す第二位置に移動されたことによって、載置台１０２の側板部がトリガー部１０１Ａから離れ、電源スイッチ１０１はオンとなり、ワイヤレスマウス１０は動作可能な状態となる。
【００２４】
ワイヤレスマウス１０では手動方式による電源スイッチ制御も可能である。図３Ａ及び図３Ｂは、ワイヤレスマウス１０を表裏反転した姿勢で示し、手動方式による電源スイッチ制御の仕方を示す。なお、受信装置２００はワイヤレスマウス１０に取り付けられていない。
【００２５】
ケース１００は長方形の溝３００を有し、凸状のボタン１０２Ａが溝３００の内部を移動可能である。溝３００の一端に「ＯＮ」と表示された位置は電源スイッチ１０１がオン状態であることを表わし、もう一方の端に「ＯＦＦ」と表示された位置は電源スイッチ１０１がオフ状態であることを表している。受信装置２００がマウス内部にないとき、ユーザーが載置台１０２の凸状のボタン１０２Ａを操作することで、載置台１０２が移動され、さらに載置台１０２を電源スイッチ１０１のトリガー部１０１Ａに接触若しくは不接触の状態にさせる。
【００２６】
図３Ａは、ボタン１０２ＡがＯＮの位置にある状態を示す。このときには、載置台１０２はＸ１側に移動した位置にあり、電源スイッチ１０１のトリガー部１０１Ａに接触していず、電源スイッチ１０１はオンになっている（図２参照）。ユーザーが電源スイッチ１０１を切ろうとする場合、図３Ｂに示すように、ボタン１０２Ａを溝３００内をＯＦＦ方向へ操作する。この操作で、載置台１０２がＸ２方向に移動され、押し装置１０３がロックされ、載置台１０２が第一位置に移動してその位置に維持され、電源スイッチ１０１のトリガー部１０１Ａに接触して、電源スイッチ１０１が切れてオフとなる（図１参照）。ユーザーが再度電源スイッチ１０１を立ち上げるときは、ボタン１０２ＡをＯＦＦ方向に少し操作する。この操作によって押し装置１０３がロックを解除され、載置台１０２は元の第二位置に移動する。載置台１０２は電源スイッチ１０１のトリガー部１０１Ａから離れて接触しなくなり、電源スイッチ１０１はオンとなる。ボタン１０２Ａは、溝３００内を移動して、図３Ａに示すように、ＯＮの位置に位置する。
【００２７】
換言すると、本発明のワイヤレスマウスは、装着してあるワイヤレスマウス１０を操作することによって或いはワイヤレスマウスが装着されていない場合にはマウスケース外部に現れているボタン１０２Ａを操作することによって、載置台１０２を移動させて電源スイッチのオン・オフを制御可能とし、これによりユーザーの利便性が向上している。
【００２８】
本件発明は熟練技術者によって発明され改良されたものであり、何れも特許請求の範囲内において保護されるものとする。
【図面の簡単な説明】
【００２９】
【図１】本件発明のワイヤレスマウスの実施例をその上側カバーを取り外して、電源スイッチがオフの状態を示す概略図である。
【図２】ワイヤレスマウスの電源スイッチがオンとされた状態の概略図である。
【図３】ワイヤレスマウスの凸状のボタンがオンとオフの位置にあるワイヤレスマウスを表裏反転した状態で示す概略図である。
【符号の説明】
【００３０】
１０  ワイヤレスマウス
１００    ケース
２００  受信装置
１０１  電源スイッチ
１０１Ａ  トリガー部
１０２  載置台
１０２Ａ  凸状のボタン
１０２Ｂ  連接板
１０３  押し装置
１０３Ａ  挟み部材
１０３Ｂ  凹溝
３００  溝
【図１】
2008016002.tif 000003
【図２】
2008016002.tif 000004
【図３】
2008016002.tif 000005